(57)【要約】【課題】凝縮器用のファンからの送風で圧縮機の冷却を充分に行える自動販売機の冷却装置を提供する。【解決手段】凝縮器２は、凝縮器２の熱交換部１３と載置台１１との間に圧縮機５への風路を形成する空間１４ができるように固定され、凝縮器２における圧縮機５側の面には凝縮器用ファン３ａ，３ｂ，３ｃを上下方向に複数設け、下側の凝縮器用ファン３ｃを凝縮器２の熱交換部１３の下の空間１４を通過する空気が圧縮機５の下部に流れるように一部が凝縮器２の熱交換部１３より下にはみ出た圧縮機５の冷却用とし、上側の凝縮器用ファン３ａ，３ｂを凝縮器２の熱交換部１３からはみ出ない蒸発皿７及び蒸発シート９への排水蒸発促進用とし、エアガイド４は上側の凝縮器用ファン３ａ，３ｂからの風を蒸発皿７及び蒸発シート９の方向に導いている。【選択図】図１
2013092924.tif 000002
【特許請求の範囲】
【請求項１】
圧縮機と、前記圧縮機と対向するように配置され前記圧縮機から吐出された冷媒を周囲の空気との熱交換により凝縮させる凝縮器と、前記凝縮器における前記圧縮機側の面に設けられた凝縮器用ファンと、前記圧縮機の風下側と風上側のどちらからも外れるように前記圧縮機の横に配置され庫内冷却時に発生した排水を受ける蒸発皿と、記蒸発皿に溜まった排水を吸い上げて蒸発させる蒸発シートと、前記凝縮器と前記圧縮機を載せて固定する載置台と、前記凝縮器との熱交換で暖められた前記凝縮器用ファンからの風を前記蒸発皿及び前記蒸発シートの方向に導くエアガイドとを備えた自動販売機の冷却装置であって、前記凝縮器は前記凝縮器の熱交換部と前記載置台との間に前記圧縮機への風路を形成する空間ができるように固定され、前記凝縮器用ファンは前記空間を通過する空気が前記圧縮機の少なくとも下部を冷却するように一部が前記凝縮器の熱交換部より下にはみ出ていることを特徴とする自動販売機の冷却装置。
【請求項２】
前記凝縮器用ファンを上下方向に複数設け、下側の前記凝縮器用ファンを前記空間を通過する空気が前記圧縮機の下部に流れるように一部が前記凝縮器の熱交換部より下にはみ出た前記圧縮機の冷却用とし、上側の前記凝縮器用ファンを前記凝縮器の熱交換部からはみ出ない前記蒸発皿及び前記蒸発シートへの排水蒸発促進用とし、前記エアガイドは上側の前記凝縮器用ファンからの風を前記蒸発皿及び前記蒸発シートの方向に導くことを特徴とする請求項１に記載の自動販売機の冷却装置。
【請求項３】
下側の前記凝縮器用ファンと上側の前記凝縮器用ファンは別々に制御可能に構成されることを特徴とする請求項２に記載の自動販売機の冷却装置。
【発明の詳細な説明】
【技術分野】
【０００１】
本発明は、凝縮器用のファンからの送風を、圧縮機の冷却と、庫内冷却時に発生した排水の蒸発促進に利用する自動販売機の冷却装置に関するものである。
【背景技術】
【０００２】
従来この種の自動販売機の冷却装置としては、特許文献１に開示されたものがある。
【０００３】
以下、図面を参照しながら上記従来の自動販売機の冷却装置について説明する。
【０００４】
図５に示すように冷却ユニット１は、庫内に配置される庫内冷却用の蒸発器（図示せず）等の構成部品の他は、庫内と区画された自動販売機本体ケース下部に配置されている。
【０００５】
自動販売機本体ケース下部に配置された冷却ユニット１には、凝縮器２と、凝縮器２に対して略半分の高さの圧縮機５が配置され、凝縮器２と圧縮機５は配管にて接続されている。凝縮器用ファン３は凝縮器２後方（凝縮器２の圧縮機５側の面）に配置されている。
【０００６】
エアガイド４は凝縮器用ファン３の送風を妨げないように凝縮器２後方（凝縮器２の圧縮機５側の面）に位置し凝縮器２上部に固定され、エアガイド４の風下側に傾斜して設けたガイド４ａにて、凝縮器用ファン３の略上半分からの凝縮器２で暖められた空気を蒸発皿７側へ導いている。
【０００７】
排気ファン６は圧縮機５後方に配置されている。蒸発皿７には高圧高温の冷媒パイプの一部を引き出して形成された蒸発パイプ８と、排水を吸い上げ蒸発させるための蒸発シート９と、排水を蒸発皿７に導くためのドレンガイド１０が設けられている。
【０００８】
以上のように構成された従来の自動販売機の冷却装置について、以下その動作を説明する。
【０００９】
凝縮器用ファン３により凝縮器２前面から外気を吸い込み、凝縮器２と熱交換を行う。熱交換を行った外気は、高温空気となり、凝縮器用ファン３から吐出される。
【００１０】
凝縮器２上部から吐出された高温空気は、エアガイド４にあるガイド４ａにより向きを変え、冷却ユニット１横に配置された蒸発皿７の方へ導かれる。
【００１１】
一方、凝縮器２下部から吐出された高温空気は、凝縮器２の約半分程の高さである圧縮機５を空冷し、後方にある排気ファン６にて排気される。
【００１２】
自動販売機の庫内を冷却した場合、図示しない冷却ユニット１の蒸発器により庫内空気が凝縮され排水される。その排水はドレンガイド１０により蒸発皿７に導かれ溜まる。
【００１３】
溜まった排水は高温の蒸発パイプ８の影響を受け、温度が高くなる。溜まった排水は蒸発シート９にて吸い上げられ、ガイド４ａにて導かれた高温空気の影響を受けて蒸発を促進する。
【先行技術文献】
【特許文献】
【００１４】
【特許文献１】特開平７−５７１３９号公報
【発明の概要】
【発明が解決しようとする課題】
【００１５】
しかしながら、上記従来の自動販売機の冷却装置では、圧縮機５の冷却は凝縮器２と熱交換を行った高温空気で行っており、夏場のような高外気温時、商品補充時に必要となる高負荷連続運転時（商品のプルダウン）などにおいて圧縮機５の温度が上がり過ぎてしまう。
【００１６】
また、高い温度で運転し続けると、圧縮機５内の潤滑油、モータ材料等の劣化が促進されるばかりでなく、条件によっては圧縮機５の保護装置が作動して冷却運転が停止してしまう。
【００１７】
また、圧縮機５の冷却のために凝縮器用ファン３とは別に排気ファン６を配置すると、コストアップになってしまう。
【００１８】
また、凝縮器２の熱交換部には、冷媒管が貫通するフィンが数ミリピッチで多数配置されており、長期間凝縮器用ファン３を運転し続けると、徐々にフィンとフィンの隙間に埃が詰まってくる。
【００１９】
埃が詰まると、凝縮器用ファン３からの風量が減ると同時に、凝縮器２と熱交換された高温空気の温度が上昇するため、圧縮機５の冷却効率が低下して圧縮機５の温度が上がり過ぎてしまうという課題を有していた。
【００２０】
本発明は、上記従来の課題を解決するもので、凝縮器用のファンからの送風で圧縮機の冷却を充分に行える自動販売機の冷却装置を提供することを目的とする。
【課題を解決するための手段】
【００２１】
上記目的を達成するために、本発明の自動販売機の冷却装置は、凝縮器を、前記凝縮器の熱交換部と載置台との間に圧縮機への風路を形成する空間ができるように載置台に固定すると共に、前記空間を通過する空気が圧縮機の少なくとも下部を冷却するように、凝縮器用ファンの一部を前記凝縮器の熱交換部より下にはみ出させたのである。
【００２２】
これにより、一部が凝縮器の熱交換部より下にはみ出た凝縮器用ファンの送風により、外気の一部が、凝縮器の熱交換部と載置台との間の空間を通過して、圧縮機の少なくとも下部を冷却する。
【００２３】
このとき、凝縮器の熱交換部と載置台との間の空間を通過する外気は、凝縮器の熱交換部で暖められることなく圧縮機の少なくとも下部に導かれるので、外気とほぼ同温度の送風で圧縮機の冷却効果を高めることができる。
【００２４】
また、凝縮器の熱交換部のフィンが密になっていて、凝縮器の熱交換部の通風抵抗が大きい場合や、凝縮器の熱交換部に多数あるフィンの隙間に埃が詰まって、凝縮器の熱交換部の通風抵抗が大きくなった場合でも、圧縮機の少なくとも下部を冷却するための空気は熱交換部の下に設けられた風路（凝縮器の熱交換部と載置台との間の空間）を通過するので、圧縮機の少なくとも下部を冷却するための風量を充分に確保することができ、圧縮機の少なくとも下部を充分な風量で冷却することができる。
【００２５】
一般に、圧縮機内の下部には潤滑油が溜まっているので、圧縮機における下部だけでも充分に冷却できれば、圧縮機を効率的に冷却できると共に、潤滑油の高温による劣化を抑制でき、圧縮機の信頼性向上と、圧縮機の長寿命化を図ることができる。
【００２６】
また、可燃性の冷媒が圧縮機と凝縮器の周辺の配管から漏洩した場合でも、エアガイドの形状や凝縮器の熱交換部の埃詰まり状態に関係無く、圧縮機の少なくとも下部に充分な量の外気を安定して送り込むことができるので、漏洩した冷媒が外部に放出拡散されやすく、比較的高温の圧縮機と凝縮器の周辺に漏洩した冷媒が滞留するのを防ぐ効果が高いため、安全性を向上させることができる。
【００２７】
また、凝縮器用ファンとは別に、圧縮機冷却用のファンを設ける必要が無いため、圧縮機冷却用のファンを設けることによるコストアップ、自動販売機の冷却装置の大型化、複雑化を無くすことができる。
【発明の効果】
【００２８】
本発明によれば、一部が凝縮器の熱交換部より下にはみ出た凝縮器用ファンの送風により、外気の一部が、凝縮器の熱交換部と載置台との間の空間を通過して、圧縮機の少なくとも下部を冷却するので、外気とほぼ同温度の送風で圧縮機の冷却効果を高めることができ、凝縮器の熱交換部の状態に関係なく圧縮機の下部を充分な風量で冷却することができる。
【００２９】
また、圧縮機の下部を重点的に冷却することにより、圧縮機を効率的に冷却できると共に、潤滑油の高温による劣化を抑制でき、圧縮機の信頼性向上と、圧縮機の長寿命化を図ることができる。
【００３０】
また、可燃性の冷媒が圧縮機と凝縮器の周辺の配管から漏洩した場合でも、漏洩した冷媒が外部に放出拡散されやすく、比較的高温の圧縮機と凝縮器の周辺に漏洩した冷媒が滞留するのを防ぐ効果が高いため、安全性を向上させることができる。
【００３１】
また、圧縮機冷却用のファンを設けることによるコストアップ、自動販売機の冷却装置の大型化、複雑化を無くすことができる。
【図面の簡単な説明】
【００３２】
【図１】本発明の実施の形態１における自動販売機の冷却装置の側面図
【図２】同実施の形態の自動販売機の冷却装置の正面図
【図３】図２のＡ−Ａ断面図
【図４】図２のＢ−Ｂ断面図
【図５】従来の自動販売機の冷却装置の平面図
【発明を実施するための形態】
【００３３】
第１の発明は、圧縮機と、前記圧縮機と対向するように配置され前記圧縮機から吐出された冷媒を周囲の空気との熱交換により凝縮させる凝縮器と、前記凝縮器における前記圧縮機側の面に設けられた凝縮器用ファンと、前記圧縮機の風下側と風上側のどちらからも外れるように前記圧縮機の横に配置され庫内冷却時に発生した排水を受ける蒸発皿と、記蒸発皿に溜まった排水を吸い上げて蒸発させる蒸発シートと、前記凝縮器と前記圧縮機を載せて固定する載置台と、前記凝縮器との熱交換で暖められた前記凝縮器用ファンからの風を前記蒸発皿及び前記蒸発シートの方向に導くエアガイドとを備えた自動販売機の冷却装置であって、前記凝縮器は前記凝縮器の熱交換部と前記載置台との間に前記圧縮機への風路を形成する空間ができるように固定され、前記凝縮器用ファンは前記空間を通過する空気が前記圧縮機の少なくとも下部を冷却するように一部が前記凝縮器の熱交換部より下にはみ出ていることを特徴とする。
【００３４】
上記構成において、従来と同様に、凝縮器との熱交換で暖められた凝縮器用ファンから
の風は、エアガイドにより、蒸発皿及び蒸発シートの方向に導かれ、庫内冷却時に発生した排水の蒸発を促進する。
【００３５】
そして、第１の発明の自動販売機の冷却装置では、一部が凝縮器の熱交換部より下にはみ出た凝縮器用ファンの送風により、外気の一部が、凝縮器の熱交換部と載置台との間の空間を通過して、圧縮機の少なくとも下部を冷却する。
【００３６】
このとき、凝縮器の熱交換部と載置台との間の空間を通過する外気は、凝縮器の熱交換部で暖められることなく圧縮機の少なくとも下部に導かれるので、外気とほぼ同温度の送風で圧縮機の冷却効果を高めることができる。
【００３７】
また、凝縮器の熱交換部のフィンが密になっていて、凝縮器の熱交換部の通風抵抗が大きい場合や、凝縮器の熱交換部に多数あるフィンの隙間に埃が詰まって、凝縮器の熱交換部の通風抵抗が大きくなった場合でも、圧縮機の少なくとも下部を冷却するための空気は熱交換部の下に設けられた風路（凝縮器の熱交換部と載置台との間の空間）を通過するので、圧縮機の少なくとも下部を冷却するための風量を充分に確保することができ、圧縮機の少なくとも下部を充分な風量で冷却することができる。
【００３８】
一般に、圧縮機内の下部には潤滑油が溜まっているので、圧縮機における下部だけでも充分に冷却できれば、圧縮機を効率的に冷却できると共に、潤滑油の高温による劣化を抑制でき、圧縮機の信頼性向上と、圧縮機の長寿命化を図ることができる。
【００３９】
また、可燃性の冷媒が圧縮機と凝縮器の周辺の配管から漏洩した場合でも、エアガイドの形状や凝縮器の熱交換部の埃詰まり状態に関係無く、圧縮機の少なくとも下部に充分な量の外気を安定して送り込むことができるので、漏洩した冷媒が外部に放出拡散されやすく、比較的高温の圧縮機と凝縮器の周辺に漏洩した冷媒が滞留するのを防ぐ効果が高いため、安全性を向上させることができる。
【００４０】
また、凝縮器用ファンとは別に、圧縮機冷却用のファンを設ける必要が無いため、圧縮機冷却用のファンを設けることによるコストアップ、自動販売機の冷却装置の大型化、複雑化を無くすことができる。
【００４１】
第２の発明は、第１の発明において、前記凝縮器用ファンを上下方向に複数設け、下側の前記凝縮器用ファンを前記空間を通過する空気が前記圧縮機の下部に流れるように一部が前記凝縮器の熱交換部より下にはみ出た前記圧縮機の冷却用とし、上側の前記凝縮器用ファンを前記凝縮器の熱交換部からはみ出ない前記蒸発皿及び前記蒸発シートへの排水蒸発促進用とし、前記エアガイドは上側の前記凝縮器用ファンからの風を前記蒸発皿及び前記蒸発シートの方向に導くことを特徴とする。
【００４２】
上記構成において、凝縮器の熱交換部からはみ出ないように凝縮器の上側に設けられた上側の凝縮器用ファンの送風により、外気が凝縮器の熱交換部との熱交換で暖められた後、エアガイドにより、蒸発皿及び蒸発シートの方向に導かれ、庫内冷却時に発生した排水の蒸発を促進する。
【００４３】
一方、一部が凝縮器の熱交換部より下にはみ出るように凝縮器の下側に設けられた下側の凝縮器用ファンの送風により、外気の一部が、凝縮器の熱交換部と載置台との間の空間を通過して、圧縮機の少なくとも下部を冷却する。
【００４４】
そして、上側の凝縮器用ファンは、庫内冷却時に発生した排水の蒸発を促進するのに適した構成、数量、配置とし、下側の凝縮器用ファンは、圧縮機の冷却に適した構成、数量
、配置とすることで、庫内冷却時に発生した排水の蒸発を促進と圧縮機の冷却の両方を効率よく行うことができる。
【００４５】
第３の発明は、第２の発明において、下側の前記凝縮器用ファンと上側の前記凝縮器用ファンは別々に制御可能に構成されるものである。
【００４６】
これにより、上側の凝縮器用ファンは、上側の凝縮器用ファンを用いて凝縮器への送風を行う必要がある時と蒸発皿に溜まった排水を蒸発させる必要がある時に運転し、上側の凝縮器用ファンを用いて凝縮器への送風を行う必要が無く且つ蒸発皿に溜まった排水を蒸発させる必要が無い時に停止させ、上側の凝縮器用ファンを排水の蒸発目的で運転する時は、蒸発皿に溜まった排水を蒸発させるのに適した能力（送風量、回転数）にすることができる。
【００４７】
また、下側の凝縮器用ファンは、下側の凝縮器用ファンを用いて凝縮器への送風を行う必要がある時と圧縮機を冷却させる必要がある時に運転し、下側の凝縮器用ファンを用いて凝縮器への送風を行う必要が無く且つ圧縮機を冷却させる必要が無い時に停止させ、下側の凝縮器用ファンを圧縮機の冷却目的で運転する時は、圧縮機を冷却するのに適した能力（送風量、回転数）にすることができる。
【００４８】
また、上側の凝縮器用ファンと下側の凝縮器用ファンの少なくともどちらか一方（好ましくは少なくとも下側の凝縮器用ファン）を、漏洩した冷媒の拡散用としても用いることが好ましい。
【００４９】
上側の凝縮器用ファンが漏洩した冷媒の拡散用を兼用する場合は、蒸発皿に溜まった排水を蒸発させる必要が無い時で、圧縮機が停止している時には、上側の凝縮器用ファンにおいて漏洩した冷媒を拡散するのに適した能力（送風量、回転数）で運転し、下側の凝縮器用ファンが漏洩した冷媒の拡散用を兼用する場合は、圧縮機を冷却させる必要が無い時で、圧縮機が停止している時には、下側の凝縮器用ファンにおいて漏洩した冷媒を拡散するのに適した能力（送風量、回転数）で運転することができる。
【００５０】
したがって、送風が必要な時に必要な方の凝縮器用ファンを必要な能力で回すことができるため、省エネにもなる。
【００５１】
以下、本発明の自動販売機の冷却装置の実施の形態について図面を参照しながら説明する。なお、この実施の形態によって本発明が限定されるものではない。
【００５２】
（実施の形態１）
図１は本発明の実施の形態１における自動販売機の冷却装置の側面図である。図２は同実施の形態の自動販売機の冷却装置の正面図である。図３は同実施の形態の自動販売機の冷却装置を図２のＡ−Ａ線で切断した切断面を上から見た断面図である。図４は同実施の形態の自動販売機の冷却装置を図２のＢ−Ｂ線で切断した切断面を上から見た断面図である。
【００５３】
図１から図４に示すように、本実施の形態の自動販売機の冷却装置は、冷却ユニット１が、庫内に配置される庫内冷却用の蒸発器（図示せず）等の構成部品の他は、庫内と区画された自動販売機本体ケース下部の機械室に配置されている。
【００５４】
冷却ユニット１の構成部品である圧縮機５は、炭化水素系の可燃性の冷媒を圧縮して吐出するレシプロ圧縮機であり、機械室の底面を構成する載置台１１の上に搭載される。
【００５５】
冷却ユニット１の構成部品であり圧縮機５から吐出された冷媒を周囲の空気との熱交換により凝縮させる凝縮器２は、蛇行した冷媒管が多数平行に並べられたフィンを貫通するフィンチューブ型の熱交換器であり、機械室における外気取り入れ口に近接した位置で圧縮機５と対向するように載置台１１の上に搭載される。
【００５６】
なお、凝縮器２は、フィンが並んで熱交換が行われる熱交換部１３と載置台１１との間に圧縮機５への風路を形成する空間１４ができるように載置台１１に固定されている。
【００５７】
凝縮器２における圧縮機５側の面には３つの凝縮器用ファン３ａ，３ｂ，３ｃが設けられている。凝縮器用ファン３ａと凝縮器用ファン３ｂは、左右に並べられ、凝縮器２の略上半分に送風する。
【００５８】
凝縮器用ファン３ｃは、凝縮器用ファン３ａと凝縮器用ファン３ｂの下に位置し、凝縮器用ファン３ｃの一部が凝縮器２の熱交換部１３より下にはみ出ており、凝縮器用ファン３ｃの送風により、凝縮器２の熱交換部１３の下の空間１４を通過する空気が圧縮機５の下部に流れるように構成、配置されている。なお、凝縮器用ファン３ｃは凝縮器２の略下半分の一部に送風する。そのため、下側の凝縮器用ファン３ｃは、圧縮機５の冷却用となっている。
【００５９】
庫内冷却時に発生した排水を受ける蒸発皿７は、圧縮機５の風下側と風上側のどちらからも外れるように圧縮機５と凝縮器２の横に配置される。蒸発皿７内には、蒸発皿７に溜まった排水を吸い上げて蒸発させる蒸発シート９が２つ並べて配置されている。なお、蒸発シート９は、横断面が三角波形状になるように折り曲げられて蒸発皿７内に直立している。
【００６０】
凝縮器用ファン３ａと凝縮器用ファン３ｂからの風は、エアガイド４により、蒸発皿７及び蒸発シート９の方向に導かれる。そのため、上側の凝縮器用ファン３ａ，３ｂは、蒸発皿７及び蒸発シート９への排水蒸発促進用となっている。
【００６１】
３つの凝縮器用ファン３ａ，３ｂ，３ｃは、３つの凝縮器用ファン３ａ，３ｂ，３ｃを個別にコントロールできるファンコントロール部１２により制御される。
【００６２】
以上のように構成された自動販売機の冷却装置について、以下その動作、作用を説明する。
【００６３】
自動販売機の庫内の冷却を行うため、圧縮機５及び凝縮器用ファン３ａ，３ｂ，３ｃを任意で動作させる。圧縮機５にて圧縮された高温高圧冷媒は、凝縮器２にて凝縮され放熱する。凝縮された冷媒は、減圧装置（図示せず）で減圧された後、蒸発器（図示せず）で蒸発し、庫内の冷却を行って圧縮機５に戻ってくる。
【００６４】
冷媒が蒸発器（図示せず）にて蒸発、吸熱を行うと蒸発器の温度が下がり、蒸発器を通過する庫内空気中の水分が凝縮され、排水として蒸発皿７に導かれる。
【００６５】
日本の梅雨や夏の様な高温高湿条件下で冷却運転を行う場合、庫内が高湿になることや圧縮機５の運転時間が長くなるため、排水量が増加する。また圧縮機５が高温となるため圧縮機５の冷却が必要となる。
【００６６】
ファンコントロール部１２にて凝縮器用ファン３ａ，３ｂ，３ｃの動作を行う。凝縮器２上部に配置された凝縮器用ファン３ａ，３ｂからは外気が熱交換部１３と熱交換された高温空気が吐出され、エアガイド４により蒸発皿７及び蒸発シート９まで導かれる。
【００６７】
導かれた空気は高温のため、蒸発皿７に溜まって蒸発シート９に吸い上げられた排水の蒸発を促進することができ、排水量が多い条件下においても対応することができる。
【００６８】
また下側の凝縮器用ファン３ｃは吸い込み抵抗が少なく熱交換部１３を通過しない空間１４を通過した空気が含まれた温度の低い空気を吐出する。吐出された温度の低い空気はエアガイド４に当たること無く、背後に配置された圧縮機５下部まで到達して圧縮機５の冷却を行い自動販売機背面に排気される。
【００６９】
これにより、排水の蒸発においては高温空気を、圧縮機５の冷却は温度の低い空気で冷却することが同時にできるため、排水蒸発量を促進でき且つ高温空気で冷却するよりも圧縮機５の温度を下げることができ、圧縮機５の信頼性を確保することができる。
【００７０】
また凝縮器２の熱交換部１３に多数あるフィンの隙間に埃が詰まっても、圧縮機５を冷却するための空気は熱交換部１３下部に設けられた空間１４の風路を通過するため、冷却するための風量を著しく低下すること無く、圧縮機５下部を冷却することができる。
【００７１】
また圧縮機５冷却のために凝縮器用ファン３ａ，３ｂ，３ｃとは別に排気ファンを配置する必要も無いため、コストダウンすることができる。
【００７２】
次に中低温高湿条件下の様に、排水蒸発量の促進は必要であるが、圧縮機５の強制冷却は必要でない場合は、上側の凝縮器用ファン３ａ，３ｂを動作させて、下側の凝縮器用ファン３ｃを停止させることも可能である。また逆も可能であり、必要な時に必要な凝縮器用ファン３ａ，３ｂ，３ｃを回すことができるため、省エネになる。
【００７３】
次に可燃性冷媒を使用している場合、配管から漏洩した場合を考慮して冷媒の滞留を防ぐために換気を行う必要がある。その場合、圧縮機５停止時においても凝縮器用ファン３ｃを動作させて換気を行う。熱交換部１３が埃で詰まっている場合においても空間１４から確実に外気を導入することができ、空気より重く下部に滞留しやすい冷媒においても確実に拡散することが可能であり安全である。
【００７４】
以上説明したように本実施の形態の自動販売機の冷却装置は、圧縮機５と、圧縮機５と対向するように配置され圧縮機５から吐出された冷媒を周囲の空気との熱交換により凝縮させる凝縮器２と、凝縮器２における圧縮機５側の面に設けられた凝縮器用ファン３ａ，３ｂ，３ｃと、圧縮機５の風下側と風上側のどちらからも外れるように圧縮機５の横に配置され庫内冷却時に発生した排水を受ける蒸発皿７と、蒸発皿７に溜まった排水を吸い上げて蒸発させる蒸発シート９と、凝縮器２と圧縮機５を載せて固定する載置台１１と、凝縮器２との熱交換で暖められた上側の凝縮器用ファン３ａ，３ｂからの風を蒸発皿７及び蒸発シート９の方向に導くエアガイド４とを備える。
【００７５】
そして、凝縮器２は凝縮器２の熱交換部１３と載置台１１との間に圧縮機５への風路を形成する空間１４ができるように固定され、下側の凝縮器用ファン３ｃは空間１４を通過する空気が圧縮機５の少なくとも下部を冷却するように一部が凝縮器２の熱交換部１３より下にはみ出ているのである。
【００７６】
上記構成において、従来と同様に、凝縮器２との熱交換で暖められた上側の凝縮器用ファン３ａ，３ｂからの風は、エアガイド４により、蒸発皿７及び蒸発シート９の方向に導かれ、庫内冷却時に発生した排水の蒸発を促進する。
【００７７】
そして、本実施の形態の自動販売機の冷却装置では、一部が凝縮器２の熱交換部１３よ
り下にはみ出た下側の凝縮器用ファン３ｃの送風により、外気の一部が、凝縮器２の熱交換部１３と載置台１１との間の空間を通過して、圧縮機５の少なくとも下部を冷却する。
【００７８】
このとき、凝縮器２の熱交換部１３と載置台１１との間の空間１４を通過する外気は、凝縮器２の熱交換部１３で暖められることなく圧縮機５の少なくとも下部に導かれるので、外気とほぼ同温度の送風で圧縮機５の冷却効果を高めることができる。
【００７９】
また、凝縮器２の熱交換部１３のフィンが密になっていて、凝縮器２の熱交換部１３の通風抵抗が大きい場合や、凝縮器２の熱交換部１３に多数あるフィンの隙間に埃が詰まって、凝縮器２の熱交換部１３の通風抵抗が大きくなった場合でも、圧縮機５の少なくとも下部を冷却するための空気は熱交換部１３の下に設けられた風路（凝縮器２の熱交換部１３と載置台１１との間の空間１４）を通過するので、圧縮機５の少なくとも下部を冷却するための風量を充分に確保することができ、圧縮機５の少なくとも下部を充分な風量で冷却することができる。
【００８０】
一般に、圧縮機５内の下部には潤滑油が溜まっているので、圧縮機５における下部だけでも充分に冷却できれば、圧縮機５を効率的に冷却できると共に、潤滑油の高温による劣化を抑制でき、圧縮機５の信頼性向上と、圧縮機５の長寿命化を図ることができる。
【００８１】
また、可燃性の冷媒が圧縮機５と凝縮器２の周辺の配管から漏洩した場合でも、エアガイド４の形状や凝縮器２の熱交換部１３の埃詰まり状態に関係無く、圧縮機５の少なくとも下部に充分な量の外気を安定して送り込むことができるので、漏洩した冷媒が外部に放出拡散されやすく、比較的高温の圧縮機５と凝縮器２の周辺に漏洩した冷媒が滞留するのを防ぐ効果が高いため、安全性を向上させることができる。
【００８２】
また、凝縮器用ファン３ａ，３ｂ，３ｃとは別に、圧縮機冷却用のファンを設ける必要が無いため、圧縮機冷却用のファンを設けることによるコストアップ、自動販売機の冷却装置の大型化、複雑化を無くすことができる。
【００８３】
また、本実施の形態では、凝縮器用ファン３ａ，３ｂ，３ｃを上下方向に複数設け、下側の凝縮器用ファン３ｃを空間１４を通過する空気が圧縮機５の下部に流れるように一部が凝縮器２の熱交換部１３より下にはみ出た圧縮機５の冷却用とし、上側の凝縮器用ファン３ａ，３ｂを凝縮器２の熱交換部１３からはみ出ない蒸発皿７及び蒸発シート９への排水蒸発促進用とし、エアガイド４は上側の凝縮器用ファン３ａ，３ｂからの風を蒸発皿７及び蒸発シート９の方向に導いている。
【００８４】
上記構成において、凝縮器２の熱交換部１３からはみ出ないように凝縮器２の上側に設けられた上側の凝縮器用ファン３ａ，３ｂの送風により、外気が凝縮器２の熱交換部１３との熱交換で暖められた後、エアガイド４により、蒸発皿７及び蒸発シート９の方向に導かれ、庫内冷却時に発生した排水の蒸発を促進する。
【００８５】
一方、一部が凝縮器２の熱交換部１３より下にはみ出るように凝縮器２の下側に設けられた下側の凝縮器用ファン３ｃの送風により、外気の一部が、凝縮器２の熱交換部１３と載置台１１との間の空間１４を通過して、圧縮機５の少なくとも下部を冷却する。
【００８６】
そして、上側の凝縮器用ファン３ａ，３ｂは、庫内冷却時に発生した排水の蒸発を促進するのに適した構成、数量、配置とし、下側の凝縮器用ファン３ｃは、圧縮機５の冷却に適した構成、数量、配置とすることで、庫内冷却時に発生した排水の蒸発を促進と圧縮機５の冷却の両方を効率よく行うことができる。
【００８７】
また、本実施の形態では、下側の凝縮器用ファン３ｃと上側の凝縮器用ファン３ａ，３ｂは別々にファンコントロール部１２で制御可能に構成される。
【００８８】
これにより、上側の凝縮器用ファン３ａ，３ｂは、上側の凝縮器用ファン３ａ，３ｂを用いて凝縮器２への送風を行う必要がある時と蒸発皿７に溜まった排水を蒸発させる必要がある時に運転し、上側の凝縮器用ファン３ａ，３ｂを用いて凝縮器２への送風を行う必要が無く且つ蒸発皿７に溜まった排水を蒸発させる必要が無い時に停止させ、上側の凝縮器用ファン３ａ，３ｂを排水の蒸発目的で運転する時は、蒸発皿７に溜まった排水を蒸発させるのに適した能力（送風量、回転数）にすることができる。
【００８９】
また、下側の凝縮器用ファン３ｃは、下側の凝縮器用ファン３ｃを用いて凝縮器２への送風を行う必要がある時と圧縮機５を冷却させる必要がある時に運転し、下側の凝縮器用ファン３ｃを用いて凝縮器２への送風を行う必要が無く且つ圧縮機５を冷却させる必要が無い時に停止させ、下側の凝縮器用ファン３ｃを圧縮機５の冷却目的で運転する時は、圧縮機５を冷却するのに適した能力（送風量、回転数）にすることができる。
【００９０】
また、上側の凝縮器用ファン３ａ，３ｂと下側の凝縮器用ファン３ｃの少なくともどちらか一方（好ましくは少なくとも下側の凝縮器用ファン３ｃ）を、漏洩した冷媒の拡散用としても用いることが好ましい。
【００９１】
上側の凝縮器用ファン３ａ，３ｂが漏洩した冷媒の拡散用を兼用する場合は、蒸発皿７に溜まった排水を蒸発させる必要が無い時で、圧縮機５が停止している時には、上側の凝縮器用ファン３ａ，３ｂにおいて漏洩した冷媒を拡散するのに適した能力（送風量、回転数）で運転し、下側の凝縮器用ファン３ｃが漏洩した冷媒の拡散用を兼用する場合は、圧縮機５を冷却させる必要が無い時で、圧縮機５が停止している時には、下側の凝縮器用ファン３ｃにおいて漏洩した冷媒を拡散するのに適した能力（送風量、回転数）で運転することができる。
【００９２】
したがって、送風が必要な時に必要な方の凝縮器用ファン３ａ，３ｂ，３ｃを必要な能力で回すことができるため、省エネにもなる。
【産業上の利用可能性】
【００９３】
本発明は、凝縮器用のファンからの送風を、圧縮機の冷却と、庫内冷却時に発生した排水の蒸発促進に利用でき、凝縮器用のファンからの送風で圧縮機の冷却を充分に行えるので、自動販売機に限らず、ショーケースや冷蔵庫等の圧縮機冷却と排水蒸発を同時に行う用途にも適用できる。
【符号の説明】
【００９４】
２    凝縮器
３ａ  凝縮器用ファン
３ｂ  凝縮器用ファン
３ｃ  凝縮器用ファン
４    エアガイド
５    圧縮機
７    蒸発皿
９    蒸発シート
１１  載置台
１２  ファンコントロール部
１３  熱交換部
１４  空間
【図１】
2013092924.tif 000003
【図２】
2013092924.tif 000004
【図３】
2013092924.tif 000005
【図４】
2013092924.tif 000006
【図５】
2013092924.tif 000007